(57)【要約】【課題】  被測定者の腕の一部が挟み込まれないで、測定部位に適切に巻きつく血圧計の提供。【解決手段】  血圧計本体２の腕挿入穴３の下部に腕置き台１０が設けられ、腕挿入穴３の内部に阻血袋１１を保持したカフ帯１２が配置され、カフ帯１２の両端部は、腕置き台１０の両側を通って、血圧計本体２の下部に設けられた自動巻き取り機構１３に連結されているとともに、腕置き台１０とカフ帯１２との間の腕挿入穴３には、腕を挿入するためのカフリング４が配置されている血圧計であって、腕置き台１０は、腕が密着するように空気容量をもった袋状に形成してなるものである。【選択図】図２
2005270435.tif 000002
【特許請求の範囲】
【請求項１】
血圧計本体の腕挿入穴の下部に腕置き台が設けられ、前記腕挿入穴の内部に阻血袋を保持したカフ帯が配置され、該カフ帯の両端部は、前記腕置き台の両側を通って、血圧計本体の下部に設けられた自動巻き取り機構に連結されているとともに、前記腕置き台とカフ帯との間の腕挿入穴には、腕を挿入するためのカフリングが配置されている血圧計であって、
前記腕置き台は、腕が密着するように空気容量をもった袋状に形成してなるものであることを特徴とする血圧計。
【請求項２】
前記腕置き台は、上面が略Ｕ字状に開口して形成するものであることを特徴とする請求項１記載の血圧計。
【請求項３】
前記腕置き台は、上部に上面が略Ｕ字状の開口した袋状の部材と、該袋状の部材の下部に該袋状の部材を載置するための基台と、を備えたものであることを特徴とする請求項１記載の血圧計。
【発明の詳細な説明】
【技術分野】
【０００１】
本発明は血圧計に関するものである。
【背景技術】
【０００２】
血圧計としては、従来、特許第３２３３４８１号公報に示すものがある。この血圧計１０１は、図４に示すように、気体供給手段により膨張袋１１２内に所定量の気体が予め供給されて閉じ込められた後、駆動モータ１１３の正転によってカフ帯１１０の巻付け径が小さくなるようにカフ帯１１０の張力が増加させられる過程で、圧力判定手段により膨張袋１１２内の圧力Ｐｋ が予め定められた値Ｐ１に到達したことが判定されると、駆動モータ１１３の回転が停止させられてカフ帯１１０の径が保持される。したがって、熟練を必要とすることなく、カフ帯１１０が生体の上腕に適切に巻付けられるとともに、不適切なカフ帯１１０の巻付けにより圧迫圧力値Ｐｋ と動脈の圧迫状態との関係がばらつくことに起因する血圧測定精度の低下が防止されるものである。
【０００３】
ところで、最近、健康意識の高まりに合わせて、高齢者の方でも簡単な操作にて血圧が測定できる血圧計、例えば、腕を入れるだけで、被測定者の測定部位（以降、腕と呼称）にカフ帯が適切に巻きつく、すなわち、カフ帯によって腕の一部が挟み込まれることがない血圧計の要望が高まっている。しかし、一般的に、上記構成のように、カフ帯を被測定者の腕を予め一定の強さで巻き回す自動血圧計では、カフ帯に腕の一部が挟み込まれないための機能がないため、カフ帯を巻き取る際に腕の一部が挟みこまれる場合があった。
【特許文献１】特許第３２３３４８１号公報
【発明の開示】
【発明が解決しようとする課題】
【０００４】
本願発明は、上記背景技術に鑑みて発明されたものであり、その課題は、被測定者の腕の一部が挟み込まれないで、測定部位に適切に巻きつく血圧計を提供することである。
【課題を解決するための手段】
【０００５】
上記課題を解決するために、本願発明は、腕の一部を圧するためのカフと、カフを自動で巻きつける自動巻取り手段と、該自動巻取り手段を制御するための制御手段と、前記カフに空気を送る加圧手段と圧力を測定するための圧力測定手段と、血圧測定後の測定値を表示する表示手段と、を備え、腕挿入部の腕下側に腕置き台を付設させた血圧計において、前記腕置き台は、前記腕の一部である接触面が密着するように空気容量をもった袋状に形成してなるものである。
【０００６】
また、前記腕置き台は、腕が密着するように空気容量をもった袋状に形成するものが好ましい。
【０００７】
また、前記腕置き台は、上部に上面が略Ｕ字状の開口した袋状の部材と、該袋状の部材の下部に該袋状の部材を載置するための基台と、を備えたものが好ましい。
【発明の効果】
【０００８】
本願発明の血圧計において、腕置き台を袋状に形成することで腕周長方向の幅をより大きく取ることができるので、腕置き台は、腕・手の挟み込み防止や腕・手のフィット性がより高くなる。
【発明を実施するための最良の形態】
【０００９】
図１から図３は、請求項１から請求項３全てに対応した一実施形態である血圧計１である。この血圧計１は、血圧計本体２の腕挿入穴３の下部に腕置き台１０が設けられ、腕挿入穴３の内部に阻血袋１１を保持したカフ帯１２が配置され、カフ帯１２の両端部は、腕置き台１０の両側を通って、血圧計本体２の下部に設けられた巻き取りドラム（自動巻き取り機構）１３に連結されているとともに、腕置き台１０とカフ帯１２との間の腕挿入穴３には、腕を挿入するためのカフリング４が配置されている血圧計であって、腕置き台１０は、腕が密着するように空気容量をもった袋状に形成してなるものである。
【００１０】
この実施形態の血圧計１について、図面を参照しながら詳細に説明する。
【００１１】
図１は、血圧計１の斜視図である。この血圧計１は、家庭用としてコンパクトかつシンプルに構成したものであって、ボックス状の血圧計本体２には、前後方向に貫通する腕挿入穴３が形成されて、この腕挿入穴３には、腕を挿入するための柔軟な筒状カフリング４が配置されている。
【００１２】
この血圧計本体２の上部には、開始・終了用のスイッチ５と、緊急排気用スイッチ６と、が設けられ、前部には表示パネルの開き用ボタン７が設けられ、側部には、ヒンジで開閉可能な表示パネル８が設けられている。この表示パネル８は、図示の開き位置から矢印ａの方向に閉じ操作すると、血圧計本体２の側部の凹部２ａに嵌め込まれる閉じ位置に収納されてロックされるようになり、開き用ボタン７を押すと、ロックが解除されて開き位置に開き操作できるようになる。
【００１３】
上記、血圧計本体２の内部には、具体的に図示しないがポンプ、排気弁、圧力センサ等が設けられ、これらは、後述する阻血袋１１に対して空気を給排するための配管で接続されるとともに、制御部によって作動タイミングが制御されるようになる。
【００１４】
図２は、図１のＡ−Ａ線断面図である。血圧計本体２の腕挿入穴３の下部には、正面視において上部が略Ｕ字状に開口するとともに、腕挿入穴３の曲率に沿った曲面に形成され上面と略棒状の形状した下部を有する腕置き台１０が設けられている。そして、このものは、袋状に形成されその内部に空気容量がもたせてある。
【００１５】
上記腕挿入穴３の内部には、上部に阻血袋１１を保持したカフ帯１２が配置され、このカフ帯１２の両端部１２ａは、腕置き台１０の両側を通って、血圧計本体２の下部に設けられた巻取りドラム１３に連結されている。このカフ帯１２は、例えば、可撓性のプラスチックシートであって、阻血袋１１の保持部分は、阻血袋１１の膨出を抑制するクリップ板を兼ねている。
【００１６】
上記巻取りドラム１３は、血圧計本体２内にセットした市販の乾電池を電源とする電動モータ（図示せず）で正逆駆動されるようになっていて、正転時には矢印ｂ方向に回転してカフ帯１２を巻取り、逆転時には矢印ｃ方向に回転してカフ帯１２を巻き戻すようになる。
【００１７】
上記カフリング４は、腕に触れる部分であり、通常はポリエチレンなどの布地で形成され、図３に示すように、腕の軸方・腕周方向に伸び易くなっている。このカフリング４は、腕置き台１０とカフ帯１２との間に配置されて前端リング部４ａが腕挿入穴３の入口内部３ａに係止され、後端リング部付帯４ｂが腕挿入穴３の出口内部３ｂに係止されて、腕挿入穴３の内周囲を覆うようになる。
【００１８】
このように構成された血圧計１は、カフ帯１２を巻きつけた場合、腕置き台１０の上部１０ａが袋状の中に空気が入っているので、阻血袋１１と同じ役割で腕・手を効果的に阻血できる。
【００１９】
従って、成形品で腕置き台を作る場合と同様に、腕周長方向の幅を広げても阻血効率がかわらないので大きくとる事ができるので、腕置き台の効果をより多く発揮できる。
【００２０】
なお、腕置き台１０は、袋状に形成するのではなく、小さめな腕置き台とその上に袋状の腕置袋として形成しても良い。
【図面の簡単な説明】
【００２１】
【図１】本発明の一実施形態の血圧計の斜視図である。
【図２】同上のＡ−Ａ線断面図である。
【図３】同上のカウリングの外観斜視図である。
【図４】従来の血圧計の構成を説明する斜視図である。
【符号の説明】
【００２２】
１      血圧計
２      血圧計本体
３      腕挿入穴
４      カフリング
１０    腕置き台
１１    阻血袋
１２    カフ帯
１２ａ    両端部
【図１】
2005270435.tif 000003
【図２】
2005270435.tif 000004
【図３】
2005270435.tif 000005
【図４】
2005270435.tif 000006